(57)【要約】      （修正有）【課題】従来の金モール・エンブレムに近似する格調を有し、生産効率が高く、且つ、摩擦による損傷性が低く、ドライ・水洗いなどの洗濯性のよい金銀モール様エンブレム製品を提供する。【解決手段】ベースシート部材２と、ベースシート部材上に中入れ充填部材３を配して、該中入れ充填部材を覆って、ベースシート部材の周辺に沿ってベースシート部材に固着される表装シート部材４とを含み、表装シート部材に、金モール様刺繍７を施してなる金モール様エンブレムであって、前記金モール様刺繍のための糸が、複数本の糸を撚り合わせてなるモール様飾糸６でなることを特徴とする金モール様エンブレム。【選択図】図２
0003141453.tif 000002
【実用新案登録請求の範囲】
【請求項１】
ベースシート部材と、前記ベースシート部材上に中入れ充填部材を配して、該中入れ充填部材を覆って、前記ベースシート部材の周辺に沿って前記ベースシート部材に固着される表装シート部材とを含み、前記表装シート部材に、金モール様刺繍を施してなる金モール様エンブレムであって、
前記金モール様刺繍のための糸が、複数本の糸を撚り合わせてなるモール様飾糸でなることを特徴とする金モール様エンブレム。
【請求項２】
前記金モール様刺繍のための糸が、複数本の金糸を撚り合わせてなる金モール様飾糸でなることを特徴とする請求項１に記載の金モール様エンブレム。
【請求項３】
前記金モール様刺繍のための糸が、複数本の銀糸を撚り合わせてなる銀モール様飾糸でなることを特徴とする請求項１に記載の金モール様エンブレム。
【請求項４】
前記金モール様刺繍のための糸が、複数本の着色糸を撚り合わせてなる着色モール様飾糸でなることを特徴とする請求項１に記載の金モール様エンブレム。
【請求項５】
前記金モール様刺繍のための糸が、複数本の異なる種類の糸を撚り合わせてなることを特徴とする請求項１に記載の金モール様エンブレム。
【考案の詳細な説明】
【技術分野】
【０００１】
この考案は、官公庁、学校、企業あるいは各種イベントなどにおいて、その制服、制帽、鞄、その他の備品などに装着して用いるエンブレムであり、また、一般的な服の装飾品として、さらには、マリングッズあるいはミリタリーグッズなどに使用されるエンブレムに関するものである。
【背景技術】
【０００２】
周知のように、従来の金モール・エンブレムは、制服に対する胸章、腕章あるいは肩章、制帽に対する帽章、さらには、校章、社章などとして用いられている紋章である。従来の金モール・エンブレムは、金モール糸あるいは銀モール糸と称する飾糸を刺繍糸とする手工芸的な製品であり、伝統的に格調の高い製品として提供されてきている。この金モール・エンブレムに用いられている金モール糸あるいは銀モール糸は、金属線（ワイヤー）に、例えば、金メッキあるいは銀メッキを施し、この金属線をコイル状に巻いて糸条に成形したものからなっている。
【０００３】
従来の金モール・エンブレムは、上記するようにコイル状に成形された糸からなるモール糸を用い、例えば、コイル状中空部に縫付け糸を通して、この縫付け糸を介してフェルト生地などに対して、刺繍手法によって製作されているものである。
【０００４】
この従来の金モール・エンブレムは、非常に格調が高い製品として提供することができる反面、生産効率が著しく悪く、しかも著しく高価なものであるという点において、問題を有するものであった。さらに、この従来の金モール・エンブレムは、金銀モール糸が金属素材によるものであるがため、摩擦により、接触する他の生地を損傷させてしまうという点、金銀モール糸がコイル状に成形されているものであるため、引っかかって、ほつれ出てしまうという点、さらには、金属素材であるため、ドライ、水洗いなどの洗濯性に不適合であるという点、などの問題点を有するものであった。
【考案の開示】
【考案が解決しようとする課題】
【０００５】
そこで、この考案は、従来の金銀モール・エンブレムに近似する格調を有するとともに、比較的に製造が容易であって生産効率が高い金銀モール様エンブレムを供するものであり、且つ、摩擦による損傷性が低く、引っかかりによるほつれ出を防止することができ、しかも、ドライ・水洗いなどの洗濯性のよい金銀モール様エンブレム製品を提供するものである。
【課題を解決するための手段】
【０００６】
この考案は、上記する目的を達成するにあたって、請求項１に記載の考案は、ベースシート部材と、前記ベースシート部材上に中入れ充填部材を配して、該中入れ充填部材を覆って、前記ベースシート部材の周辺に沿って前記ベースシート部材に固着される表装シート部材とを含み、前記表装シート部材に、金モール様刺繍を施してなる金モール様エンブレムであって、
前記金モール様刺繍のための糸が、複数本の糸を撚り合わせてなる金モール様飾糸でなることを特徴とする金モール様エンブレムを構成するものである。
【０００７】
さらに、この考案において請求項２に記載の考案は、請求項１に記載の金モール様エンブレムであって、前記金モール様刺繍のための糸が、複数本の金糸を撚り合わせてなる金モール様飾糸でなることを特徴とするものである。
【０００８】
さらに、この考案において請求項３に記載の考案は、請求項１に記載の金モール様エンブレムであって、金モール様刺繍のための糸が、複数本の銀糸を撚り合わせてなる銀モール様飾糸でなることを特徴とするものである。
【０００９】
さらに、この考案において請求項４に記載の考案は、請求項１に記載の金モール様エンブレムであって、前記モール様刺繍のための糸が、複数本の着色糸を撚り合わせてなる着色モール様飾糸でなることを特徴とするものである。
【００１０】
さらに、この考案において請求項５に記載の考案は、請求項１に記載の金モール様エンブレムであって、前記モール様刺繍のための糸が、複数本の異なる種類の糸を撚り合わせてなることを特徴とするものである。
【考案の効果】
【００１１】
この考案になる金モール様エンブレムは、ベースシート部材と、中入れ充填部材と、表装シート部材とを含み、表装シート部材に金モール様刺繍を施してなる金モール様エンブレムにおいて、複数本の糸を撚り合わせてなる金モール様飾糸により金モール様刺繍のための糸としたものであり、まず第１には、従来の金モール・エンブレムに近似する格調性を維持しつつ、比較的に製造が容易であって生産効率が高いという点において極めて有効に作用するものである。第２には、従来のような金属素材をコイル状に成形した金モール糸を用いずに、複数本の糸を撚り合わせてなる金モール様飾糸とすることにより、摩擦による損傷性が低く、引っかかりによるほつれ出を防止することができるという点において、極めて有効に作用するものである。第３には、金属素材をコイル状に成形した金モール糸を用いずに、複数本の糸を撚り合わせてなる金モール様飾糸とすることにより、ドライ・水洗いなどの洗濯性を向上させることができるという点において、極めて有効に作用するものである。
【考案を実施するための最良の形態】
【００１２】
以下、この考案になる金モール様エンブレムについて、図面に示す具体的な実施例に基づいて詳細に説明する。図１は、この考案になる金モール様エンブレムの具体的な一実施例について、その表面側の一態様を示す概略的な表面図である。第２図は、第１図におけるＡ−Ａ線に沿って断面にし、矢示方向に見た概略的なＡ−Ａ線断面図である。図３Ａ〜Ｄは、この考案に適用されるモール様飾糸について、刺繍針穴への糸通しをよくするべく、モール様飾糸の端部を予め処理する手順を示す概略的な斜視図であり、図４Ａ〜Ｃは、該モール様飾糸を刺繍針の針穴に通し、且つ、当該モール様飾糸の刺繍時において、刺繍針からモール様飾糸が抜けないように、しっかりと取り付ける態様を示す概略的な斜視図である。
【００１３】
まず、この考案になる金モール様エンブレム１は、例えば、図１〜図２に示すように、ベースシート部材２と、前記ベースシート部材２上に中入れ充填部材３を配して、該中入れ充填部材３を覆うようにして、当該ベースシート部材２の周辺に沿って、縫着あるいは接着４により前記ベースシート部材２に固着される表装シート部材５とを含むものからなっており、この表装シート部材５に対して金モール様刺繍のための糸６により金モール様刺繍７を施したものからなっている。
【００１４】
一例において、前記ベースシート部材２は、保形性のある当て部材８によって複層状に形成したものであってもよい。前記ベースシート部材２としては、ナイロンあるいは綿などの布帛シートが有効であり、保形性のある当て部材８としては、適当な保形性のあるプラスチックシートが有効である。前記中入れ充填部材３としては、スポンジ、フェルトあるいはプレート状コルクなど適当なクッション性あるいは柔軟性のある素材が有効である。さらに、前記表装シート部材５は、装飾性ならびに耐候性に優れた素材が好ましく、フェルト生地あるいは羅紗生地などによるものである。
【００１５】
この考案において、前記表装シート部材５に対して金モール様刺繍７を施こすための糸は、複数本の糸を撚り合わせてなるモール様飾糸６により構成されている。前記モール様飾糸６は、ナイロン糸、アクリル糸、レーヨン糸、ポリエステル糸あるいは綿糸などによるものであり、その色は、金色、銀色を含み、その他に適宜着色された着色糸を含むものである。
【００１６】
この考案になる金モール様エンブレム１は、次のようにして作成される。まず、使用するベースシート部材２、中入れ充填部材３、表装シート部材５およびモール様飾糸６を予めその必要量を用意しておく。前記表装シート部材５に対して、その表面に、あらわすべき紋様を下書きしておき、その下書きに沿って、モール様飾糸６を用いて刺繍処理する。
【００１７】
このモール様飾糸６を用いて刺繍処理する場合、モール様飾糸６が撚糸であるため、当該モール様飾糸６を刺繍針１０の針穴１１へ糸通しするに際して、予め、図３Ａ〜３Ｄの手順がとられる。まず、モール様飾糸６の一端部側６ａを図３Ｂに示すように、先端から５〜１０ｃｍ程度にわたって撚り状態をほぐしておく。ほぐされた糸６ｂ（例えば、１２本の糸）のうち、数割の糸（例えば、４本の糸）をカットして（図３Ｃ参照）、残った糸６ｃを撚り戻して、先端を先細状６ｄに形成して（図３Ｄ参照）、刺繍針１０の針穴１１への糸通しを行う（図４Ａ参照）。
【００１８】
上記することにより、針穴１１の小さい刺繍針１０を使用することができ、刺繍針自体をも細いものを用いることができる。図４Ａに示すように、先端を先細状６ｄに形成したモール様飾糸６を刺繍針１０の針穴１１へ糸通したのち、表装シート部材５に対してモール様飾糸６を刺繍処理する際に、モール様飾糸６が刺繍針１０から抜けないように、図４ＢおよびＣに示すようにすることができる。これは、図４Ｂに示すように、モール様飾糸６の太い部分６ｆに刺繍針１０を突き刺し、しかる後、図５Ｂに示すようにくくって、刺繍処理時における糸抜けを確実に防止する。
【００１９】
このようにすれば、針穴１１の小さい刺繍針１０を使用することができ、生地に刺した針を引き上げ易くすることができ、しかも、生地を痛めにくくすることができる。さらに、刺繍処理時における糸抜けを確実に防止するすることができる。
【図面の簡単な説明】
【００２０】
【図１】図１は、この考案になる金モール様エンブレムの具体的な一実施例について、その表面側の一態様を示す概略的な表面図である。
【図２】第２図は、第１図におけるＡ−Ａ線に沿って断面にし、矢示方向に見た概略的なＡ−Ａ線断面図である。
【図３】図３Ａ〜Ｄは、この考案に適用されるモール様飾糸について、刺繍針穴への通しをよくするべく、モール様飾糸の端部を予め処理する手順を示す概略的な斜視図である。
【図４】図４Ａ〜Ｃは、該モール様飾糸を刺繍針の針穴に通し、しかる後、当該モール様飾糸の刺繍時において、刺繍針からモール様飾糸が抜けないように、しっかりと取り付ける態様を示す概略的な斜視図である。
【符号の説明】
【００２１】
１  金モール様エンブレム
２  ベースシート部材
３  中入れ充填部材
４  縫着あるいは接着
５  表装シート部材
６  モール様飾糸
６ａ  モール様飾糸の一端部側
６ｂ  ほぐした糸
６ｃ  残った糸
６ｄ  先細状部
６ｅ  モール様飾糸の太い部分
７  金モール様刺繍
８  当て部材
１０  刺繍針
１１  針穴
【図１】
0003141453.tif 000003
【図２】
0003141453.tif 000004
【図３】
0003141453.tif 000005
【図４】
0003141453.tif 000006
【手続補正書】
【提出日】平成20年2月26日(2008.2.26)
【手続補正１】
【補正対象書類名】図面
【補正対象項目名】図１
【補正方法】変更
【補正の内容】
【図１】
0003141453.tif 000007